【手続補正書】
【提出日】平成27年11月25日(2015.11.25)
【手続補正１】
【補正対象書類名】特許請求の範囲
【補正対象項目名】全文
【補正方法】変更
【補正の内容】
【特許請求の範囲】
【請求項１】
ハウジング通路を規定するハウジングと、
埋入物に着脱可能に連結されるように構成された遠位端部分を有する挿入部材であって、前記挿入部材の少なくとも一部分は前記ハウジング通路内に配置され、前記ハウジングに対して動くように構成された挿入部材と、
アクチュエータから力を前記挿入部材へ伝達して前記挿入部材を前記ハウジングに対して動かすために前記挿入部材に連結されるように構成された伝達部材であって、前記力が閾値を越えたときに前記挿入部材に対して動くように構成された連結部分を含む、伝達部材と、を備える装置。
【請求項２】
前記ハウジングに対する遠位方向における前記挿入部材の動きは、前記伝達部材の前記連結部分が前記挿入部材に対して動くときに制限される、請求項１に記載の装置。
【請求項３】
前記挿入部材の前記遠位端部分が標的場所に接触するとき、前記伝達部材は、前記ハウジングに対する遠位方向における前記挿入部材の動きを制限するように構成される、請求項１に記載の装置。
【請求項４】
前記伝達部材は前記ハウジング内で往復するように構成される、請求項１に記載の装置。
【請求項５】
前記連結部分が前記挿入部材に対して動くとき、前記伝達部材の前記連結部分は前記挿入部材の一部分との接触を保持するように構成される、請求項１に記載の装置。
【請求項６】
前記伝達部材の前記連結部分は、前記挿入部材の一部分を噛み合わせ可能に受容するように構成された複数の戻り止めを含む、請求項１に記載の装置。
【請求項７】
前記挿入部材は、前記伝達部材の前記連結部分に噛み合わせ可能に係合するように構成された連結部分を含み、前記挿入部材の前記連結部分又は前記伝達部材の前記連結部分のうちの少なくとも１つは、前記伝達部材の前記連結部分が前記挿入部材に対して動くときに変形するように構成される、請求項１に記載の装置。
【請求項８】
前記伝達部材は、前記アクチュエータの遠位方向の動きが前記伝達部材の遠位方向の動きを生じさせるように前記アクチュエータの一部分に係合するように構成された複数のラチェット歯を有する、請求項１に記載の装置。
【請求項９】
前記伝達部材は、前記ハウジングのラチェット部分に係合するように構成された歯止め部分を含み、前記歯止め部分及び前記ラチェット部分は集合的に、前記ハウジングに対する前記伝達部材の近位方向の動きを制限するように構成される、請求項１に記載の装置。
【請求項１０】
前記伝達部材に連結されたロック部材であって、前記伝達部材の前記係合部分が前記挿入部材に対して事前決定された距離を動いた後に前記伝達部材の遠位方向の動きを制限するように構成されたロック部材をさらに備える、請求項１に記載の装置。
【請求項１１】
前記挿入部材は第１挿入部材であり、
前記装置は、
前記第１挿入部材に連結された第２挿入部材であって、前記埋入物を前記第１挿入部材の前記遠位端部分から分離するために前記第１挿入部材に対して動くように構成された第２挿入部材をさらに備える、請求項１に記載の装置。
【請求項１２】
ハウジング通路を規定するハウジングであって、標的場所に関連付けられた表面に接触するように構成された接触表面を有するハウジングと、
埋入物に着脱可能に連結されるように構成された遠位端部分を有する挿入部材であって、前記挿入部材の少なくとも一部分は前記ハウジング通路内に配置され、前記ハウジングに対して動くように構成された挿入部材と、
アクチュエータから力を前記挿入部材へ伝達して前記挿入部材を前記ハウジングに対して遠位方向に動かすために前記挿入部材に連結されるように構成された伝達部材であって、前記挿入部材の前記遠位端部分が前記標的場所に接触すると前記遠位方向における動きを制限するように構成される伝達部材と、を備える装置。
【請求項１３】
前記伝達部材は、前記力が閾値を越えると前記挿入部材に対して動くように構成された連結部分を含む、請求項１２に記載の装置。
【請求項１４】
前記挿入部材は、前記挿入部材の遠位端表面が前記接触表面から約５センチメートル〜約１３センチメートルだけ離間するように前記ハウジングに対して前記遠位方向に動くように構成される、請求項１２に記載の装置。
【請求項１５】
前記伝達部材の連結部分は、前記挿入部材の一部分を噛み合わせ可能に受容するように構成された複数の戻り止めを含む、請求項１２に記載の装置。
【請求項１６】
前記挿入部材は、前記伝達部材の連結部分に噛み合わせ可能に係合するように構成された連結部分を含み、前記挿入部材の前記連結部分又は前記伝達部材の前記連結部分のうちの少なくとも１つは、前記伝達部材の前記連結部分が前記挿入部材に対して動くと変形するように構成される、請求項１２に記載の装置。
【請求項１７】
前記伝達部材は、前記ハウジングのラチェット部分に係合するように構成された歯止め部分を含み、前記歯止め部分及び前記ラチェット部分は集合的に、前記ハウジングに対する前記伝達部材の近位方向の動きを制限するように構成される、請求項１２に記載の装置。
【請求項１８】
前記伝達部材に連結されたロック部材であって、前記ハウジングに対する前記伝達部材の遠位方向の動きを制限するように構成されるロック部材をさらに備える、請求項１２に記載の装置。
【請求項１９】
通路を規定するハウジングと、
埋入物に着脱可能に連結されるように構成された遠位端部分を有する挿入部材であって、前記挿入部材の少なくとも一部分は、前記埋入物を前記標的場所に搬送するために前記ハウジングに対して動くように構成される、挿入部材と、
ガイド部材であって、前記ガイド部材の第１端部分は前記ハウジングに連結され、前記ガイド部材の第２端部分は前記埋入物の１部分に着脱可能に連結されるように構成され、前記ガイド部材は、前記ガイド部材が前記ハウジングに対して動かされると前記埋入物の前記部分を前記ハウジングの前記通路内で動かすように構成された、ガイド部材と、を備える装置。
【請求項２０】
前記通路は非直線状である、請求項１９に記載の装置。
【請求項２１】
前記ガイド部材の少なくとも一部分は、前記埋入物の前記部分を前記通路内で動かすために湾曲するように構成される、請求項１９に記載の装置。
【請求項２２】
前記埋入物は子宮内避妊器具であり、前記子宮内避妊器具の前記部分は可撓性である、請求項１９に記載の装置。
【請求項２３】
マニピュレータであって、前記マニピュレータの一部分は前記通路内に配置され、前記埋入物が前記標的場所に搬送されるときに前記埋入物の前記部分を操作するように構成されるマニピュレータをさらに備える、請求項１９に記載の装置。
【請求項２４】
前記マニピュレータは前記埋入物の前記部分を切断するように構成される、請求項２３に記載の装置。
【請求項２５】
前記ガイド部材の前記第２端部分は拡張構成と折畳構成との間で動くように構成され、前記ガイド部材の前記第２端部分は、前記ガイド部材の前記第２端部分が前記折畳構成にあるときに前記埋入物の前記部分を保持するように構成される、請求項１９に記載の装置。
【請求項２６】
前記ガイド部材の前記第２端部分を前記折畳構成に向かって付勢するように構成された付勢部材をさらに備える、請求項２５に記載の装置。
【請求項２７】
ハウジング通路を規定するハウジングと、
埋入物の第１部分に着脱可能に連結されるように構成される遠位端部分を有する挿入部材であって、前記挿入部材の少なくとも一部分は前記ハウジング通路内に配置され、前記ハウジングに対して動くように構成される挿入部材と、
前記埋入物の第２端部分を操作するように構成されたマニピュレータと、
伝達部材であって、前記伝達部材の第１部分は、前記ハウジングに対する前記伝達部材の動きが前記挿入部材の動きを生じさせるように前記挿入部材に連結され、前記伝達部材の第２部分は、前記伝達部材が前記ハウジングに対して動かされたときに前記マニピュレータを作動させるように構成される伝達部材と、を備える装置。
【請求項２８】
前記埋入物は子宮内避妊器具であり、前記子宮内避妊器具の前記第２部分はフィラメントである、請求項２７に記載の装置。
【請求項２９】
前記マニピュレータは、前記マニピュレータが作動されたときに前記埋入物の前記第２部分を切断するために前記ハウジング内で動くように構成される、請求項２７に記載の装置。
【請求項３０】
前記伝達部材は、アクチュエータから力を前記挿入部材へ伝達して前記挿入部材を動かすように構成され、前記伝達部材は、前記力が閾値を越えるときに前記挿入部材に対して動くように構成された連結部分を含む、請求項２７に記載の装置。
【請求項３１】
前記伝達部材は前記ハウジング内で往復するように構成される、請求項２７に記載の装置。
【請求項３２】
前記挿入部材は第１挿入部材であり、
前記装置は、
前記第１挿入部材に連結された第２挿入部材であって、前記埋入物を前記第１挿入部材の前記遠位端部分から分離するために前記第１挿入部材に対して動くように構成される第２挿入部材をさらに備える、請求項２７に記載の装置。